(57)【要約】【課題】色空間を一致させることができるようにする。【解決手段】LUT３１20，３１10，３１00は、赤の入力信号強度の値に対応する色空間変換行列の１列目の３つの係数を記憶する。LUT３１21，３１11，３１01は、緑の入力信号強度の値に対応する色空間変換行列の２列目の３つの係数を記憶する。LUT３１22，３１12，３１02は、青の入力信号強度の値に対応する色空間変換行列の３列目の３つの係数を記憶する。LUT３１00乃至３１22のそれぞれから取得された色空間変換行列の係数を用いて色空間変換の演算が行われる。本発明は、例えば、液晶ディスプレイに適用できる。【選択図】図５
2008304587.tif 000002
【特許請求の範囲】
【請求項１】
３行３列からなる色空間変換行列を用いて、入力信号強度の色空間変換を行うディスプレイにおいて、
赤の前記入力信号強度の値に対応する前記色空間変換行列の１列目の３つの係数を記憶する赤テーブルメモリと、
緑の前記入力信号強度の値に対応する前記色空間変換行列の２列目の３つの係数を記憶する緑テーブルメモリと、
青の前記入力信号強度の値に対応する前記色空間変換行列の３列目の３つの係数を記憶する青テーブルメモリと、
前記入力信号強度の値に応じて、前記赤テーブルメモリ、前記緑テーブルメモリ、および前記青テーブルメモリから取得された前記色空間変換行列の係数を用いて色空間変換の演算を行う演算回路と
を備えるディスプレイ。
【請求項２】
赤、緑、または青の色度点が駆動レベルによって変化する
請求項１に記載のディスプレイ。
【請求項３】
３行３列からなる色空間変換行列を用いて、入力信号強度の色空間変換を行うディスプレイの色空間変換方法において、
赤の前記入力信号強度の値に対応する前記色空間変換行列の１列目の３つの係数を記憶する赤テーブルメモリから、赤の前記入力信号強度の値に応じた前記色空間変換行列の１列目の３つの係数を取得し、
緑の前記入力信号強度の値に対応する前記色空間変換行列の２列目の３つの係数を記憶する緑テーブルメモリから、緑の前記入力信号強度の値に応じた前記色空間変換行列の２列目の３つの係数を取得し、
青の前記入力信号強度の値に対応する前記色空間変換行列の３列目の３つの係数を記憶する青テーブルメモリから、青の前記入力信号強度の値に応じた前記色空間変換行列の３列目の３つの係数を取得し、
前記赤テーブルメモリ、前記緑テーブルメモリ、および前記青テーブルメモリのそれぞれから取得された前記色空間変換行列の係数を用いて色空間変換の演算を行う
ステップを含むディスプレイの色空間変換方法。
【発明の詳細な説明】
【技術分野】
【０００１】
本発明は、ディスプレイおよびディスプレイの色空間変換方法に関し、特に、色空間を一致させることができるようにするディスプレイおよびディスプレイの色空間変換方法に関する。
【背景技術】
【０００２】
ディスプレイでは、一般的に、画像データの持つ色空間と，ディスプレイの持つ色空間が一致していないため、画像データの持つ色空間をディスプレイの持つ色空間に変換する色空間変換が行われる（例えば、特許文献１参照）。
【０００３】
図１および図２を参照して、従来の色空間変換について説明する。
【０００４】
図１は、色空間変換を行うディスプレイの構成例を示すブロック図である。なお以下では、ディスプレイの一例として液晶ディスプレイについて説明するが、CRT（Cathode Ray Tube）ディスプレイなどでも同様である。
【０００５】
例えば、ガンマ特性がNTSCのγ＝２．２に対応させたγ＝１／２．２＝０．４５の特性を有する信号が、液晶ディスプレイに入力されてくるとする。図２Aは、γ＝０．４５の特性（入力信号対発光強度）を示している。ガンマ補正回路１は、入力されてくるγ＝０．４５の特性を有する入力信号に対してγ＝２．２（図２B）のガンマ補正をかける。後段の色空間変換回路２で色空間変換を行うため、入力信号のガンマ特性を一旦線形の特性とする必要があるからである。これにより、ガンマ補正回路１から出力される入力信号は、図２Cに示されるように、線形の特性を有する信号となる。
【０００６】
色空間変換回路２は、入力信号を液晶デバイス（LCDパネル４）の色空間に変換する色空間変換を実行する。ここで、色空間変換回路２に供給される入力信号強度を（Rin，Gin，Bin）、色空間変換後の入力信号の発光強度であって液晶デバイスの駆動レベルに変換された発光強度（以下、デバイス駆動強度という）を（Rout，Gout，Bout）とすると、色空間変換は、３行３列（３×３）の色空間変換行列を用いて、次式（１）で表すことができる。
【０００７】
【数１】
2008304587.tif 000003
【０００８】
係数A00，A01，A02，A10，A11，A12，A20，A21、およびA22は、液晶ディスプレイごとに固有の色変換係数である。
【０００９】
色空間変換回路２による色空間変換後、逆ガンマ補正回路３は、LCDパネル４のガンマ特性に対応する逆ガンマ補正を実行する。いまLCDパネル４がγ＝２．６の特性を有しているとすると、逆ガンマ補正回路３は、γ＝１／２．６＝０．３８５の補正をかけて出力する。これにより、γ＝０．３８５の特性とγ＝２．６の特性が足し合わされることになり、LCDパネル４における表示は、図２Dに示されるように線形となる。
【００１０】
図３は、図１の色空間変換回路２の詳細な構成例を示している。
【００１１】
色空間変換回路２は、メモリ１１00，１１01，１１02，１１10，１１11，１１12，１１20，１１21、および１１22と、乗算器１２00，１２01，１２02，１２10，１２11，１２12，１２20，１２21、および１２22と、加算器１３R，１３G、および１３Bとにより構成される。
【００１２】
メモリ１１00，１１01，１１02，１１10，１１11，１１12，１１20，１１21、および１１22は、それぞれ、係数A00，A01，A02，A10，A11，A12，A20，A21、およびA22を記憶する。
【００１３】
ガンマ補正回路１から供給される入力信号強度（Rin，Gin，Bin）のうちのR(赤)に関する入力信号強度Rinは、乗算器１２00，１２10、および１２20に供給される。また、入力信号強度（Rin，Gin，Bin）のうちのG(緑)に関する入力信号強度Ginは、乗算器１２01，１２11、および１２21に供給され、B(青)に関する入力信号強度Binは、乗算器１２02，１２12、および１２22に供給される。
【００１４】
乗算器１２00は、入力信号強度Rinとメモリ１１00から取得される係数A00を乗算し、その乗算結果を加算器１３Rに供給する。乗算器１２01は、入力信号強度Ginとメモリ１１01から取得される係数A01を乗算し、その乗算結果を加算器１３Rに供給する。乗算器１２02は、入力信号強度Binとメモリ１１02から取得される係数A02を乗算し、その乗算結果を加算器１３Rに供給する。
【００１５】
同様に、乗算器１２10は、入力信号強度Rinとメモリ１１10から取得される係数A10を乗算し、その乗算結果を加算器１３Gに供給する。乗算器１２11は、入力信号強度Ginとメモリ１１11から取得される係数A11を乗算し、その乗算結果を加算器１３Gに供給する。乗算器１２12は、入力信号強度Binとメモリ１１12から取得される係数A12を乗算し、その乗算結果を加算器１３Gに供給する。
【００１６】
また、乗算器１２20は、入力信号強度Rinとメモリ１１20から取得される係数A20を乗算し、その乗算結果を加算器１３Bに供給する。乗算器１２21は、入力信号強度Ginとメモリ１１21から取得される係数A21を乗算し、その乗算結果を加算器１３Bに供給する。乗算器１２22は、入力信号強度Binとメモリ１１22から取得される係数A22を乗算し、その乗算結果を加算器１３Bに供給する。
【００１７】
加算器１３Rは、乗算器１２00からの乗算結果（Rin×A00）と、乗算器１２01からの乗算結果（Gin×A01）と、乗算器１２02からの乗算結果（Bin×A02）とを加算し、その加算結果を、デバイス駆動強度（Rout，Gout，Bout）のうちのR(赤)に関するデバイス駆動強度Routとして出力する。
【００１８】
同様に、加算器１３Gは、乗算器１２10からの乗算結果（Rin×A10）と、乗算器１２11からの乗算結果（Gin×A11）と、乗算器１２12からの乗算結果（Bin×A12）とを加算し、その加算結果を、デバイス駆動強度（Rout，Gout，Bout）のうちのG(緑)に関するデバイス駆動強度Goutとして出力する。
【００１９】
また、加算器１３Bは、乗算器１２20からの乗算結果（Rin×A20）と、乗算器１２21からの乗算結果（Gin×A21）と、乗算器１２22からの乗算結果（Bin×A22）とを加算し、その加算結果を、デバイス駆動強度（Rout，Gout，Bout）のうちのB（青)に関するデバイス駆動強度Boutとして出力する。
【００２０】
その結果、色空間変換回路２によって、上述した式（１）の色空間変換を行うことができる。
【００２１】
【特許文献１】特開２００４−１５７５２２号公報（００６２段落、図１５）
【発明の開示】
【発明が解決しようとする課題】
【００２２】
しかしながら、従来の式（１）の色空間変換は、液晶デバイスの駆動レベルによってR，G，Bそれぞれの色度点が変化することがない場合には問題ないが、ディスプレイによっては、駆動レベルによって赤、緑、青の各色の色度点が変化するものもあり、そのような場合、中間調の色度が正確に一致しないという問題があった。
【００２３】
本発明は、このような状況に鑑みてなされたものであり、色空間を一致させることができるようにするものである。
【課題を解決するための手段】
【００２４】
本発明の一側面のディスプレイは、３行３列からなる色空間変換行列を用いて、入力信号強度の色空間変換を行うディスプレイにおいて、赤の前記入力信号強度の値に対応する前記色空間変換行列の１列目の３つの係数を記憶する赤テーブルメモリと、緑の前記入力信号強度の値に対応する前記色空間変換行列の２列目の３つの係数を記憶する緑テーブルメモリと、青の前記入力信号強度の値に対応する前記色空間変換行列の３列目の３つの係数を記憶する青テーブルメモリと、前記入力信号強度の値に応じて、前記赤テーブルメモリ、前記緑テーブルメモリ、および前記青テーブルメモリから取得された前記色空間変換行列の係数を用いて色空間変換の演算を行う演算回路とを備える。
【００２５】
本発明の一側面のディスプレイの色空間変換方法は、３行３列からなる色空間変換行列を用いて、入力信号強度の色空間変換を行うディスプレイの色空間変換方法において、赤の前記入力信号強度の値に対応する前記色空間変換行列の１列目の３つの係数を記憶する赤テーブルメモリから、赤の前記入力信号強度の値に応じた前記色空間変換行列の１列目の３つの係数を取得し、緑の前記入力信号強度の値に対応する前記色空間変換行列の２列目の３つの係数を記憶する緑テーブルメモリから、緑の前記入力信号強度の値に応じた前記色空間変換行列の２列目の３つの係数を取得し、青の前記入力信号強度の値に対応する前記色空間変換行列の３列目の３つの係数を記憶する青テーブルメモリから、青の前記入力信号強度の値に応じた前記色空間変換行列の３列目の３つの係数を取得し、前記赤テーブルメモリ、前記緑テーブルメモリ、および前記青テーブルメモリのそれぞれから取得された前記色空間変換行列の係数を用いて色空間変換の演算を行うステップを含む。
【００２６】
本発明の一側面においては、赤の入力信号強度の値に対応する色空間変換行列の１列目の３つの係数を記憶する赤テーブルメモリ、緑の入力信号強度の値に対応する色空間変換行列の２列目の３つの係数を記憶する緑テーブルメモリ、および青の入力信号強度の値に対応する色空間変換行列の３列目の３つの係数を記憶する青テーブルメモリのそれぞれから取得された色空間変換行列の係数を用いて色空間変換の演算が行われる。
【発明の効果】
【００２７】
本発明の一側面によれば、色空間を変換することができる。
【００２８】
また、本発明の一側面によれば、より簡単に、色空間を一致させることができる。
【発明を実施するための最良の形態】
【００２９】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００３０】
本発明の一側面のディスプレイは、３行３列からなる色空間変換行列を用いて、入力信号強度の色空間変換を行うディスプレイ（例えば、図４の液晶ディスプレイ２１）において、赤の前記入力信号強度の値に対応する前記色空間変換行列の１列目の３つの係数を記憶する赤テーブルメモリ（例えば、図５のLUT３１20，３１10、または３１00）と、緑の前記入力信号強度の値に対応する前記色空間変換行列の２列目の３つの係数を記憶する緑テーブルメモリ（例えば、図５のLUT３１21，３１11、または３１01）と、青の前記入力信号強度の値に対応する前記色空間変換行列の３列目の３つの係数を記憶する青テーブルメモリ（例えば、図５のLUT３１22，３１12、または３１02）と、前記入力信号強度の値に応じて、前記赤テーブルメモリ、前記緑テーブルメモリ、および前記青テーブルメモリから取得された前記色空間変換行列の係数を用いて色空間変換の演算を行う演算回路（例えば、図５の乗算器３２00，３２10，３２20，３２01，３２11，３２21，３２02，３２12、および３２22と、加算器１３R，１３G、および１３B）とを備える。
【００３１】
本発明の一側面のディスプレイの色空間変換方法は、３行３列からなる色空間変換行列を用いて、入力信号強度の色空間変換を行うディスプレイの色空間変換方法において、赤の前記入力信号強度の値に対応する前記色空間変換行列の１列目の３つの係数を記憶する赤テーブルメモリから、赤の前記入力信号強度の値に応じた前記色空間変換行列の１列目の３つの係数を取得し、緑の前記入力信号強度の値に対応する前記色空間変換行列の２列目の３つの係数を記憶する緑テーブルメモリから、緑の前記入力信号強度の値に応じた前記色空間変換行列の２列目の３つの係数を取得し、青の前記入力信号強度の値に対応する前記色空間変換行列の３列目の３つの係数を記憶する青テーブルメモリから、青の前記入力信号強度の値に応じた前記色空間変換行列の３列目の３つの係数を取得し、前記赤テーブルメモリ、前記緑テーブルメモリ、および前記青テーブルメモリのそれぞれから取得された前記色空間変換行列の係数を用いて色空間変換の演算を行うステップを含む。
【００３２】
以下、図を参照して、本発明の実施の形態について説明する。
【００３３】
図４は、本発明を適用した液晶ディスプレイ（液晶表示装置）の一実施の形態の構成例を示すブロック図である。
【００３４】
なお、図４において、図１と対応する部分については同一の符号を付してあり、その説明は省略する。
【００３５】
図４の液晶ディスプレイ２１は、ガンマ補正回路１、色空間変換回路２２、逆ガンマ補正回路３、およびLCDパネル４により構成されている。即ち、液晶ディスプレイ２１は、色空間変換回路２２が異なる他は、図１を参照して説明した液晶ディスプレイと同様に構成されている。
【００３６】
色空間変換回路２２は、ガンマ補正回路１から供給される入力信号強度（Rin，Gin，Bin）を液晶デバイス（LCDパネル４）の色空間に変換する色空間変換を施し、色空間変換後のデバイス駆動強度（R’out，G’out，B’out）を、逆ガンマ補正回路３に供給する。
【００３７】
ここで、色空間変換回路２２は、ガンマ補正回路１から供給される入力信号強度（Rin，Gin，Bin）の値に応じて取得された係数A’00，A’01，A’02，A’10，A’11，A’12，A’20，A’21、およびA’22を用いてデバイス駆動強度（R’out，G’out，B’out）を求める。
【００３８】
以下、より詳しく説明する。
【００３９】
従来の色空間変換である式（１）の右辺を演算し、Rout，Gout，Boutそれぞれに分解すると、式（２）のように表すことができる。
【００４０】
【数２】
2008304587.tif 000004
【００４１】
式（２）によれば、Rに関する入力信号強度Rinは、係数A00，A10、およびA20のみと関係があり、その他の係数A01，A11，A21，A02，A12、およびA22とは無関係である。
【００４２】
同様に、Gに関する入力信号強度Ginは、係数A01，A11、およびA21のみと関係があり、その他の係数A00，A10，A20，A02，A12、およびA22と無関係である。また、Bに関する入力信号強度Binは、係数A02，A12、およびA22のみと関係があり、その他の係数A00，A10，A20，A01，A11、およびA21と無関係である。
【００４３】
そこで、色空間変換回路２２は、式（３）で表される色空間変換を行うようにする。
【００４４】
【数３】
2008304587.tif 000005
【００４５】
式（３）において、A00（Rin），A10（Rin）、およびA20（Rin）は、入力信号強度Rinの関数であり、ガンマ補正回路１から供給された所定の入力信号強度Rinの関数値が上述のA’00，A’10，A’20である。同様に、A01（Gin），A11（Gin）、およびA21（Gin）は、入力信号強度Ginの関数であり、ガンマ補正回路１から供給された所定の入力信号強度Ginの関数値が上述のA’01，A’11，A’21である。また、A02（Bin），A12（Bin）、およびA22（Bin）は、入力信号強度Binの関数であり、ガンマ補正回路１から供給された所定の入力信号強度Binの関数値が上述のA’02，A’12，A’22である。
【００４６】
式（３）を実現する色空間変換回路２２の構成例を図５に示す。
【００４７】
色空間変換回路２２は、LUT（Look Up Table）３１20，３１10，３１00，３１21，３１11，３１01，３１22，３１12、および３１02と、乗算器３２00，３２10，３２20，３２01，３２11，３２21，３２02，３２12、および３２22と、加算器１３R，１３G、および１３Bとにより構成される。
【００４８】
ガンマ補正回路１から供給される入力信号強度（Rin，Gin，Bin）のうちの入力信号強度Rinは、乗算器３２00，３２10、および３２20と、LUT３１20，３１10、および３１00に供給される。
【００４９】
入力信号強度（Rin，Gin，Bin）のうちの入力信号強度Ginは、乗算器３２01，３２11、および３２21と、LUT３１21，３１11、および３１01に供給される。
【００５０】
入力信号強度（Rin，Gin，Bin）のうちの入力信号強度Binは、乗算器３２02，３２12、および３２22と、LUT３１22，３１12、および３１02に供給される。
【００５１】
LUT３１20，３１10、または３１00は、それぞれ、入力信号強度Rinの関数A20（Rin），A10（Rin）、またはA00（Rin）を記憶するテーブルメモリであり、ガンマ補正回路１からの所定の入力信号強度Rinに対応する関数値としての係数A’20，A’10、またはA’00を、乗算器３２20，３２10、または３２00にそれぞれ供給する。
【００５２】
LUT３１21，３１11、または３１01は、それぞれ、入力信号強度Ginの関数A21（Gin），A11（Gin）、またはA01（Gin）を記憶するテーブルメモリであり、ガンマ補正回路１からの所定の入力信号強度Ginに対応する関数値としての係数A’21，A’11、またはA’01を、乗算器３２21，３２11、または３２01にそれぞれ供給する。
【００５３】
LUT３１22，３１12、または３１02は、それぞれ、入力信号強度Binの関数A22（Bin），A12（Bin）、またはA02（Bin）を記憶するテーブルメモリであり、ガンマ補正回路１からの所定の入力信号強度Binに対応する関数値としての係数A’22，A’12、またはA’02を、乗算器３２22，３２12、または３２02にそれぞれ供給する。
【００５４】
乗算器３２00は、入力信号強度RinとLUT３１00から取得される係数A’00を乗算し、その乗算結果を加算器１３Rに供給する。乗算器３２01は、入力信号強度GinとLUT３１01から取得される係数A’01を乗算し、その乗算結果を加算器１３Rに供給する。乗算器３２02は、入力信号強度BinとLUT３１02から取得される係数A’02を乗算し、その乗算結果を加算器１３Rに供給する。
【００５５】
同様に、乗算器３２10は、入力信号強度RinとLUT３１10から取得される係数A’10を乗算し、その乗算結果を加算器１３Gに供給する。乗算器３２11は、入力信号強度GinとLUT３１11から取得される係数A’11を乗算し、その乗算結果を加算器１３Gに供給する。乗算器３２12は、入力信号強度BinとLUT３１12から取得される係数A’12を乗算し、その乗算結果を加算器１３Gに供給する。
【００５６】
また、乗算器３２20は、入力信号強度RinとLUT３１20から取得される係数A’20を乗算し、その乗算結果を加算器１３Bに供給する。乗算器３２21は、入力信号強度GinとLUT３１21から取得される係数A’21を乗算し、その乗算結果を加算器１３Bに供給する。乗算器３２22は、入力信号強度BinとLUT３１22から取得される係数A’22を乗算し、その乗算結果を加算器１３Bに供給する。
【００５７】
加算器１３Rは、乗算器３２00からの乗算結果（Rin×A’00）と、乗算器３２01からの乗算結果（Gin×A’01）と、乗算器３２02からの乗算結果（Bin×A’02）とを加算し、その加算結果を、デバイス駆動強度R’outとして出力する。
【００５８】
同様に、加算器１３Gは、乗算器３２10からの乗算結果（Rin×A’10）と、乗算器３２11からの乗算結果（Gin×A’11）と、乗算器３２12からの乗算結果（Bin×A’12）とを加算し、その加算結果を、デバイス駆動強度G’outとして出力する。
【００５９】
また、加算器１３Bは、乗算器３２20からの乗算結果（Rin×A’20）と、乗算器３２21からの乗算結果（Gin×A’21）と、乗算器３２22からの乗算結果（Bin×A’22）とを加算し、その加算結果を、デバイス駆動強度B’outとして出力する。
【００６０】
以上のように構成される色空間変換回路２２では、乗算器３２00，３２10，３２20，３２01，３２11，３２21，３２02，３２12、および３２22と、加算器１３R，１３G、および１３Bによって、式（３）の色空間変換の演算が行われる。
【００６１】
次に、図６のフローチャートを参照して、色空間変換回路２２の色空間変換処理について説明する。この処理は、ガンマ補正回路１から入力信号強度（Rin，Gin，Bin）が供給されたとき開始される。
【００６２】
初めに、ステップＳ１において、乗算器３２00は、入力信号強度Rinに応じた係数A’00をLUT３１00から取得する。また、ステップＳ１では、乗算器３２10が、入力信号強度Rinに応じた係数A’10をLUT３１10から取得するとともに、乗算器３２20が、入力信号強度Rinに応じた係数A’20をLUT３１20から取得する。
【００６３】
ステップＳ２において、乗算器３２00は、入力信号強度Rinと係数A’00を乗算し、その乗算結果を加算器１３Rに供給する。また、ステップＳ２では、乗算器３２10が、入力信号強度Rinと係数A’10を乗算し、その乗算結果を加算器１３Gに供給するとともに、乗算器３２20が、入力信号強度Rinと係数A’20を乗算し、その乗算結果を加算器１３Bに供給する。
【００６４】
ステップＳ３において、乗算器３２01は、入力信号強度Ginに応じた係数A’01をLUT３１01から取得する。また、ステップＳ３では、乗算器３２11が、入力信号強度Ginに応じた係数A’11をLUT３１11から取得するとともに、乗算器３２21が、入力信号強度Ginに応じた係数A’21をLUT３１21から取得する。
【００６５】
ステップＳ４において、乗算器３２01は、入力信号強度Ginと係数A’01を乗算し、その乗算結果を加算器１３Rに供給する。また、ステップＳ４では、乗算器３２11が、入力信号強度Ginと係数A’11を乗算し、その乗算結果を加算器１３Gに供給するとともに、乗算器３２21が、入力信号強度Ginと係数A’21を乗算し、その乗算結果を加算器１３Bに供給する。
【００６６】
ステップＳ５において、乗算器３２02は、入力信号強度Binに応じた係数A’02をLUT３１02から取得する。また、ステップＳ５では、乗算器３２12が、入力信号強度Binに応じた係数A’12をLUT３１12から取得するとともに、乗算器３２22が、入力信号強度Binに応じた係数A’22をLUT３１22から取得する。
【００６７】
ステップＳ６において、乗算器３２02は、入力信号強度Binと係数A’02を乗算し、その乗算結果を加算器１３Rに供給する。また、ステップＳ６では、乗算器３２12が、入力信号強度Binと係数A’12を乗算し、その乗算結果を加算器１３Gに供給するとともに、乗算器３２22が、入力信号強度Binと係数A’22を乗算し、その乗算結果を加算器１３Bに供給する。
【００６８】
ステップＳ７において、加算器１３Rは、デバイス駆動強度R’outを求め、出力する。すなわち、加算器１３Rは、乗算器３２00からの乗算結果（Rin×A’00）と、乗算器３２01からの乗算結果（Gin×A’01）と、乗算器３２02からの乗算結果（Bin×A’02）とを加算し、その加算結果を、デバイス駆動強度R’outとして出力する。
【００６９】
ステップＳ８において、加算器１３Gは、デバイス駆動強度G’outを求め、出力する。すなわち、加算器１３Gは、乗算器３２10からの乗算結果（Rin×A’10）と、乗算器３２11からの乗算結果（Gin×A’11）と、乗算器３２12からの乗算結果（Bin×A’12）とを加算し、その加算結果を、デバイス駆動強度G’outとして出力する。
【００７０】
ステップＳ９において、加算器１３Bは、デバイス駆動強度B’outを求め、出力する。すなわち、加算器１３Bは、乗算器３２20からの乗算結果（Rin×A’20）と、乗算器３２21からの乗算結果（Gin×A’21）と、乗算器３２22からの乗算結果（Bin×A’22）とを加算し、その加算結果を、デバイス駆動強度B’outとして出力する。
【００７１】
以上で色空間変換処理は終了し、ガンマ補正回路１から、次の入力信号強度（Rin，Gin，Bin）が供給されたとき再び開始される。
【００７２】
なお、図６におけるステップＳ１乃至S６の処理と、ステップＳ７乃至Ｓ９の処理それぞれは、異なる処理の順番で行うことが可能である。例えば、ステップＳ１乃至S６の処理は、ステップＳ１，Ｓ３、およびＳ５の処理を並行して実行し、その後、ステップＳ２，Ｓ４、およびＳ６の処理を並行して実行することもできる。また、ステップＳ７乃至Ｓ９の処理は、例えば、それらを並行に実行することができる。
【００７３】
以上のように、色空間変換回路２２では、入力信号強度Rinの各値に対応させた係数A’00，A’10，A’20を関数A00（Rin），A10（Rin），A20（Rin）としてLUT３１00，３１10，３１20にそれぞれ記憶させ、入力信号強度Ginの各値に対応させた係数A’01，A’11，A’21を関数A01（Gin），A11（Gin），A21（Gin）としてLUT３１01，３１11，３１21にそれぞれ記憶させ、入力信号強度Ｂinの各値に対応させた係数A’02，A’12，A’22を関数A02（Bin），A12（Bin），A22（Bin）としてLUT３１02，３１12，３１22にそれぞれ記憶させるようにしたので、ガンマ補正回路１からの入力信号強度（Rin，Gin，Bin）の値に応じて異なる係数A’00，A’01，A’02，A’10，A’11，A’12，A’20，A’21、およびA’22を用いてデバイス駆動強度（R’out，G’out，B’out）を求めることができる。
【００７４】
例えば、加算器１３Rで加算された後のデバイス駆動強度R’outが同一の色度点となるような任意の関数A00（Rin），A01（Rin），A02（Rin）を、LUT３１00，３１01，３１02にそれぞれ記憶させることで、ガンマ補正回路１から入力信号強度（Rin，Gin，Bin）としてどのような発光強度の信号が入力された場合であっても、赤の色度点を常に同一とすることができる。
【００７５】
また、加算器１３Gで加算された後のデバイス駆動強度G’outが同一の色度点となるような任意の関数A10（Gin），A11（Gin），A12（Gin）を、LUT３１10，３１11，３１12にそれぞれ記憶させることで、ガンマ補正回路１から入力信号強度（Rin，Gin，Bin）としてどのような発光強度の信号が入力された場合であっても、緑の色度点を常に同一とすることができる。
【００７６】
さらに、加算器１３Bで加算された後のデバイス駆動強度Ｂ’outが同一の色度点となるような任意の関数A20（Bin），A21（Bin），A22（Bin）を、LUT３１20，３１21，３１22にそれぞれ記憶させることで、ガンマ補正回路１から入力信号強度（Rin，Gin，Bin）としてどのような発光強度の信号が入力された場合であっても、青の色度点を常に同一とすることができる。
【００７７】
即ち、色空間変換回路２２によれば、入力信号強度（Rin，Gin，Bin）としてどのような発光強度の信号が入力された場合であっても、色空間を一致させることができる。
【００７８】
また、色空間変換回路２２は、入力信号強度（Rin，Gin，Bin）それぞれが非線形である場合や、入力信号強度Rin，Gin，Binそれぞれでガンマ特性が異なる場合などにおいても、それらを調整するような関数A00（Rin），A10（Rin），A20（Rin），A01（Gin），A11（Gin），A21（Gin）A02（Bin），A12（Bin）、およびA22（Bin）を、LUT３１00，３１10，３１20，３１01，３１11，３１21，３１02，３１12、および３１22にそれぞれ記憶させることで、対応することが可能である。
【００７９】
本明細書において、フローチャートに記述されたステップは、記載された順序に沿って時系列的に行われる処理はもちろん、必ずしも時系列的に処理されなくとも、並列的あるいは個別に実行される処理をも含むものである。
【００８０】
本発明の実施の形態は、上述した実施の形態に限定されるものではなく、本発明の要旨を逸脱しない範囲において種々の変更が可能である。
【図面の簡単な説明】
【００８１】
【図１】従来の液晶ディスプレイの構成の一例を示すブロック図である。
【図２】ガンマ補正について説明する図である。
【図３】従来の色空間変換回路の詳細な構成例を示すブロック図である。
【図４】本発明を適用した液晶ディスプレイの一実施の形態の構成例を示すブロック図である。
【図５】図４の色空間変換回路の詳細な構成例を示すブロック図である。
【図６】色空間変換処理を説明するフローチャートである。
【符号の説明】
【００８２】
２１  液晶ディスプレイ，  ２２  色空間変換回路，  ３１00，３１01，３１02，３１10，３１11，３１12，３１20，３１21，３１22  LUT，  ３２00，３２01，３２02，３２10，３２11，３２12，３２20，３２21，３２22  乗算器
【図１】
2008304587.tif 000006
【図２】
2008304587.tif 000007
【図３】
2008304587.tif 000008
【図４】
2008304587.tif 000009
【図５】
2008304587.tif 000010
【図６】
2008304587.tif 000011